(57)【要約】【課題】簡単な操作で、現在再生中の楽曲の１曲前の楽曲の先頭から再生することができる光ディスク再生装置を提供する。【解決手段】光ディスク再生装置において、現在再生中の楽曲の１曲前の楽曲の先頭から再生するよう指示する移動指示手段と、前記移動指示手段が操作されたときに現在再生中の楽曲の１曲前の楽曲の光ディスク上での先頭位置を算出するピックアップ位置算出手段と、光ピックアップを現在再生中の楽曲の１曲前の楽曲の光ディスク上での先頭位置へ移動するピックアップ駆動手段とを備え、前記移動指示手段の操作のみで、現在再生中の楽曲の１曲前の楽曲の先頭から再生できるようにした。【選択図】　　　図１
2004022102.tif 000002
【特許請求の範囲】
【請求項１】
複数の楽曲が記録された光ディスクにレーザー光を当て、反射光の強弱を電気信号に変換する光ピックアップと、
前記光ピックアップで変換された前記電気信号を復調した復調信号、または楽曲の開始位置に関する楽曲情報信号を出力する復調手段と、
前記復調信号を音楽データに再生する再生手段と、
現在再生中の楽曲の１曲前の楽曲を再生するよう使用者が指示する移動指示信号を出力する移動指示手段と、
前記移動指示信号を受け取り、現在再生中の楽曲の１曲前の楽曲の先頭位置を前記光ディスクから読み取り、前記光ピックアップを現在再生中の楽曲の１曲前の楽曲の先頭位置に移動させる移動位置信号を出力するピックアップ位置算出手段と、
前記移動位置信号に基づいて、前記光ピックアップを現在再生中の楽曲の１曲前の楽曲の先頭位置に移動させるピックアップ駆動手段とを備えた、
ことを特徴とする光ディスク再生装置。
【請求項２】
請求項１記載の光ディスク再生装置において、
現在再生中の楽曲を再生するよう選択し指示する動作選択指示信号を出力する動作選択指示手段を備え、
前記ピックアップ位置算出手段は、
前記移動指示手段から前記移動指示信号を受け取った場合は、現在再生中の楽曲の１曲前の楽曲の先頭位置を前記光ディスクから読み取り、前記光ピックアップを現在再生中の楽曲の１曲前の楽曲の先頭位置に移動させる移動位置信号を出力し、
前記移動指示手段から前記移動指示信号、及び前記動作選択手段から前記動作選択指示信号を受け取った場合は、現在再生中の楽曲の先頭位置を前記光ディスクから読み取り、前記光ピックアップを現在再生中の楽曲の先頭位置に移動させる移動位置信号を出力する、
ことを特徴とする光ディスク再生装置。
【請求項３】
請求項１記載の光ディスク再生装置において、
前記移動指示信号を受け取り、前記移動指示手段の操作時間が一定のしきい値より大きいか、もしくは小さいかにより異なるタイマー信号を出力するタイマー手段を備え、
前記ピックアップ位置算出手段は、
前記移動指示信号、及び前記タイマー信号を受け取り、
前記移動指示手段の操作時間が前記一定のしきい値より大きいときに出力されるタイマー信号を受け取った場合は、現在再生中の楽曲の１曲前の楽曲の先頭位置を前記光ディスクから読み取り、前記光ピックアップを現在再生中の楽曲の１曲前の楽曲の先頭位置に移動させる移動位置信号を出力し、
前記移動指示手段の操作時間が前記一定のしきい値より小さいときに出力されるタイマー信号を受け取った場合は、現在再生中の楽曲の先頭位置を前記光ディスクから読み取り、前記光ピックアップを現在再生中の楽曲の先頭位置に移動させる移動位置信号を出力する、
ことを特徴とする光ディスク再生装置。
【請求項４】
請求項１記載の光ディスク再生装置において、
前記移動指示信号に基づいて、現在までの再生時間を前記光ディスクから読み取り、前記再生時間が一定のしきい値より大きいか、もしくは小さいかにより異なる再生時間判定信号を出力する再生時間判定手段を備え、
前記ピックアップ位置算出手段は、
前記移動指示信号、及び前記再生時間判定信号を受け取り、前記移動指示信号に基づいて、現在までの再生時間を前記光ディスクから読み取り、
前記再生時間が一定のしきい値より小さい場合は、現在再生中の楽曲の１曲前の楽曲の先頭位置を前記光ディスクから読み取り、前記光ピックアップを現在再生中の楽曲の１曲前の楽曲の先頭位置に移動させる移動位置信号を出力し、
前記現在までの再生時間が前記一定のしきい値より大きい場合は、現在再生中の楽曲の先頭位置を前記光ディスクから読み取り、前記光ピックアップを現在再生中の楽曲の先頭位置に移動させる移動位置信号を出力する、
ことを特徴とする光ディスク再生装置。
【請求項５】
請求項１記載の光ディスク再生装置において、
前記復調手段は、
前記光ピックアップで変換された前記電気信号を復調した復調信号、または楽曲の開始位置、及び演奏時間に関する楽曲情報信号を出力し、
前記移動指示信号に基づいて、現在再生中の楽曲全体の演奏時間と現在までの再生時間を前記光ディスクから読み取り、前記再生時間と前記演奏時間の比が一定のしきい値より大きいか、もしくは小さいかにより異なる再生時間比判定信号を出力する再生時間比判定手段を備え、
前記ピックアップ位置算出手段は、
前記移動指示信号、及び前記再生時間比判定信号を受け取り、前記移動指示信号に基づいて、現在再生中の楽曲全体の演奏時間と現在までの再生時間を前記光ディスクから読み取り、
前記再生時間と前記演奏時間の比が一定のしきい値より小さい場合は、現在再生中の楽曲の１曲前の楽曲の先頭位置を前記光ディスクから読み取り、前記光ピックアップを現在再生中の楽曲の１曲前の楽曲の先頭位置に移動させる移動位置信号を出力し、
前記再生時間と前記演奏時間の比が一定のしきい値より大きい場合は、現在再生中の楽曲の先頭位置を前記光ディスクから読み取り、前記光ピックアップを現在再生中の楽曲の先頭位置に移動させる移動位置信号を出力する、
ことを特徴とする光ディスク再生装置。
【発明の詳細な説明】
【０００１】
【発明の属する技術分野】
本発明は、光ディスク再生装置に関し、特に複数の楽曲が記録された光ディスクを再生する光ディスク再生装置に関するものである。
【０００２】
【従来の技術】
近年、音楽情報の圧縮技術の向上に伴い、複数の楽曲が記録された光ディスクを再生する装置が開発されている。光ディスク再生装置の特徴として、カセットテープレコーダなどのテープ媒体に記録する装置に比べて、楽曲へのアクセスが速いことが挙げられる。
【０００３】
光ディスク上には、楽曲の開始位置、全体の演奏時間等の情報が、実際の楽曲と共に記録されており、ある楽曲の再生を行う際には、その楽曲の開始位置を読みとり、光ピックアップを移動し、その開始位置から再生する。そのため、再生する楽曲を変更する際にも、テープ媒体のようにテープの巻き取り動作が必要なく、素早く実現できる。
【０００４】
従来の光ディスク再生装置には、再生している楽曲を変更するために使用者が操作する操作手段として、「頭出し」や「飛び越し」と呼ばれる操作手段が設けられている。この操作手段が操作されると、光ディスク再生装置は、光ピックアップを現在再生中の楽曲の次の楽曲の先頭へ移動させて再生を開始するか、もしくは現在再生中の楽曲の先頭から再生を開始する。
そして、現在再生中の楽曲の１曲前の楽曲を再生する場合、現在再生中の楽曲の先頭から再生を開始するための操作手段を連続して２回操作することで、光ピックアップを現在再生中の楽曲の１曲前の楽曲の先頭へ移動し再生されていた。
【０００５】
【発明が解決しようとする課題】
ところが、従来の光ディスク再生装置では、現在再生中の楽曲の１曲前の楽曲を再生する場合、連続して２回操作するため操作が煩雑になり、連続操作の間隔が開きすぎて失敗することが多いという問題があった。
【０００６】
本発明は、上記のような従来の問題点を解決するためになされたもので、現在再生中の楽曲の１曲前の楽曲の再生を容易に実現できる光ディスク再生装置を得ることを目的とする。
【０００７】
【課題を解決するための手段】
本発明の請求項１による光ディスク再生装置は、複数の楽曲が記録された光ディスクにレーザー光を当て、反射光の強弱を電気信号に変換する光ピックアップと、前記光ピックアップで変換された前記電気信号を復調した復調信号、または楽曲の開始位置に関する楽曲情報信号を出力する復調手段と、前記復調信号を音楽データに再生する再生手段と、現在再生中の楽曲の１曲前の楽曲を再生するよう使用者が指示する移動指示信号を出力する移動指示手段と、前記移動指示信号を受け取り、現在再生中の楽曲の１曲前の楽曲の先頭位置を前記光ディスクから読み取り、前記光ピックアップを現在再生中の楽曲の１曲前の楽曲の先頭位置に移動させる移動位置信号を出力するピックアップ位置算出手段と、前記移動位置信号に基づいて、前記光ピックアップを現在再生中の楽曲の１曲前の楽曲の先頭位置に移動させるピックアップ駆動手段とを備えるようにしたものである。
【０００８】
本発明の請求項２による光ディスク再生装置は、請求項１記載の光ディスク再生装置において、現在再生中の楽曲を再生するよう選択し指示する動作選択指示信号を出力する動作選択指示手段を備え、前記ピックアップ位置算出手段は、前記移動指示手段から前記移動指示信号を受け取った場合は、現在再生中の楽曲の１曲前の楽曲の先頭位置を前記光ディスクから読み取り、前記光ピックアップを現在再生中の楽曲の１曲前の楽曲の先頭位置に移動させる移動位置信号を出力し、前記移動指示手段から前記移動指示信号、及び前記動作選択手段から前記動作選択指示信号を受け取った場合は、現在再生中の楽曲の先頭位置を前記光ディスクから読み取り、前記光ピックアップを現在再生中の楽曲の先頭位置に移動させる移動位置信号を出力するようにしたものである。
【０００９】
本発明の請求項３による光ディスク再生装置は、請求項１記載の光ディスク再生装置において、前記移動指示信号を受け取り、前記移動指示手段の操作時間が一定のしきい値より大きいか、もしくは小さいかにより異なるタイマー信号を出力するタイマー手段を備え、前記ピックアップ位置算出手段は、前記移動指示信号、及び前記タイマー信号を受け取り、前記移動指示手段の操作時間が前記一定のしきい値より大きいときに出力されるタイマー信号を受け取った場合は、現在再生中の楽曲の１曲前の楽曲の先頭位置を前記光ディスクから読み取り、前記光ピックアップを現在再生中の楽曲の１曲前の楽曲の先頭位置に移動させる移動位置信号を出力し、前記移動指示手段の操作時間が前記一定のしきい値より小さいときに出力されるタイマー信号を受け取った場合は、現在再生中の楽曲の先頭位置を前記光ディスクから読み取り、前記光ピックアップを現在再生中の楽曲の先頭位置に移動させる移動位置信号を出力するようにしたものである。
【００１０】
本発明の請求項４による光ディスク再生装置は、請求項１記載の光ディスク再生装置において、前記移動指示信号に基づいて、現在までの再生時間を前記光ディスクから読み取り、前記再生時間が一定のしきい値より大きいか、もしくは小さいかにより異なる再生時間判定信号を出力する再生時間判定手段を備え、前記ピックアップ位置算出手段は、前記移動指示信号、及び前記再生時間判定信号を受け取り、前記移動指示信号に基づいて、現在までの再生時間を前記光ディスクから読み取り、前記再生時間が一定のしきい値より小さい場合は、現在再生中の楽曲の１曲前の楽曲の先頭位置を前記光ディスクから読み取り、前記光ピックアップを現在再生中の楽曲の１曲前の楽曲の先頭位置に移動させる移動位置信号を出力し、前記現在までの再生時間が前記一定のしきい値より大きい場合は、現在再生中の楽曲の先頭位置を前記光ディスクから読み取り、前記光ピックアップを現在再生中の楽曲の先頭位置に移動させる移動位置信号を出力するようにしたものである。
【００１１】
本発明の請求項５による光ディスク再生装置は、請求項１記載の光ディスク再生装置において、前記復調手段は、前記光ピックアップで変換された前記電気信号を復調した復調信号、または楽曲の開始位置、及び演奏時間に関する楽曲情報信号を出力し、前記移動指示信号に基づいて、現在再生中の楽曲全体の演奏時間と現在までの再生時間を前記光ディスクから読み取り、前記再生時間と前記演奏時間の比が一定のしきい値より大きいか、もしくは小さいかにより異なる再生時間比判定信号を出力する再生時間比判定手段を備え、前記ピックアップ位置算出手段は、前記移動指示信号、及び前記再生時間比判定信号を受け取り、前記移動指示信号に基づいて、現在再生中の楽曲全体の演奏時間と現在までの再生時間を前記光ディスクから読み取り、前記再生時間と前記演奏時間の比が一定のしきい値より小さい場合は、現在再生中の楽曲の１曲前の楽曲の先頭位置を前記光ディスクから読み取り、前記光ピックアップを現在再生中の楽曲の１曲前の楽曲の先頭位置に移動させる移動位置信号を出力し、前記再生時間と前記演奏時間の比が一定のしきい値より大きい場合は、現在再生中の楽曲の先頭位置を前記光ディスクから読み取り、前記光ピックアップを現在再生中の楽曲の先頭位置に移動させる移動位置信号を出力するようにしたものである。
【００１２】
【発明の実施の形態】
（実施の形態１）
図１は、本発明の実施の形態１による光ディスク再生装置の構成を示すブロック図である。
図１において、光ディスク１は、楽曲のデータ、楽曲の物理的な開始位置、楽曲の演奏時間などの情報が記録されている。
【００１３】
光ピックアップ２は、光ディスク１にレーザー光を当て、その反射光を電気信号に変換する。
復調回路３は、光ピックアップ２から出力された電気信号から、楽曲のデータ、楽曲の物理的な開始位置や楽曲の演奏時間などの情報を復調する。
再生回路４は、復調回路３で復調された楽曲のデータにエラー訂正等の信号処理を行い音楽データに変換する。変換後、該音楽データを再生装置へ出力し、該再生装置から音楽として再生される。
ピックアップ駆動回路５は、ピックアップ位置算出回路９の出力に応じて、光ピックアップ２の位置を移動させる。
【００１４】
第３の移動指示回路６は、現在再生中の楽曲の先頭から再生を開始する場合に曲の先頭への光ピックアップ２の移動を指示する移動指示信号１１をピックアップ位置算出回路９に出力する。
第１の移動指示回路７は、現在再生中の楽曲の１曲前の楽曲の先頭から再生を開始する場合に前曲の先頭への光ピックアップ２の移動を指示する移動指示信号１２をピックアップ位置算出回路９に出力する。
第２の移動指示回路８は、現在再生中の楽曲の次の楽曲の先頭から再生を開始する場合に次曲の先頭への光ピックアップ２の移動を指示する移動指示信号１３をピックアップ位置算出回路９に出力する。
【００１５】
ピックアップ位置算出回路９は、第３の移動指示回路６、第１の移動指示回路７、及び第２の移動指示回路８から移動指示信号１１、１２、１３を受け取ると、移動位置信号１４をピックアップ駆動回路５に出力する。また、ピックアップ位置算出回路９は復調回路３から楽曲情報信号１５を受け取る。
【００１６】
楽曲情報信号１５は、復調回路３で復調された楽曲の物理的な開始位置や楽曲の演奏時間などの情報を示す情報であり、移動位置信号１４は前記楽曲情報信号１５を使用してピックアップ位置算出回路９によって算出された移動位置情報を示す信号である。
【００１７】
次に動作について説明する。
光ディスクには、記録されている楽曲の開始位置が記録されているＴａｂｌｅ　ｏｆ　Ｃｏｎｔｅｎｔｓと呼ばれる領域（以下、ＴＯＣ領域と称する）が設けられている。ＴＯＣ領域は、光ディスクの既知の決められた物理的な位置に記録されており、同じ規格の光ディスクであれば同じ位置に記録されている。
【００１８】
まず、通常の再生時の動作について説明する。
【００１９】
通常の再生時の動作において、ピックアップ位置算出回路９は、光ディスク１に記録された楽曲を順次再生するために、現在の楽曲の再生が終わると次の楽曲の先頭位置情報を含む移動位置信号１４をピックアップ駆動回路５に出力し、光ピックアップ２を次の楽曲の位置に移動させる。
【００２０】
次の楽曲の先頭位置情報はＴＯＣ領域に記録されており、前記ピックアップ位置算出回路９は、楽曲が終わるたびにＴＯＣ領域から前記次の楽曲の先頭位置情報を読みとるか、もしくはあらかじめ光ディスク１に記録されている楽曲の先頭位置情報をすべて読み取り記憶しておくかのいずれかの方法で、次の楽曲の先頭位置を知る。
【００２１】
光ピックアップ２は、次の楽曲の先頭位置に移動後、順次、光ディスク１からの反射光を電気信号１７に変換し、該電気信号１７を復調回路３に出力する。該復調回路３は楽曲のデータを復調し、復調信号１８を再生回路４に出力する。該再生回路４は、楽曲の復調信号１８にエラー訂正等の信号処理を行って音楽データ１９に変換し、該音楽データ１９を再生装置に出力する。そして、該音楽データ１９は、再生装置から音楽として再生される。
【００２２】
次に、楽曲の再生位置を変更する指示が行われた場合において、現在再生中の楽曲の先頭、現在再生中の楽曲の１曲前の楽曲の先頭、及び現在再生中の楽曲の次の楽曲の先頭への移動指示について説明する。
まず、現在再生中の楽曲の先頭への移動指示が行われた場合の動作について説明する。
【００２３】
光ディスク再生装置の使用者が現在再生中の楽曲の先頭から再生を繰り返したい場合は、使用者は現在再生中の楽曲の先頭から再生するよう第３の移動指示回路６に指示する。該第３の移動指示回路６は、移動指示信号１１をピックアップ位置算出回路９に出力する。該ピックアップ位置算出回路９は、第３の移動指示回路６から前記移動指示信号１１を受けとると、以下のいずれかの方法により、現在再生中の楽曲の先頭位置を示す移動位置信号１４をピックアップ駆動回路５に出力する。
【００２４】
まず、ピックアップ位置算出回路９が光ディスク１に記録されている楽曲の先頭位置をあらかじめ記憶している場合は、その記憶を読み出し、前記移動位置信号１４をピックアップ駆動回路５に出力する。
【００２５】
一方、ピックアップ位置算出回路９が光ディスク１に記録されている楽曲の先頭位置をあらかじめ記憶していない場合は、前記ピックアップ位置算出回路９は、ＴＯＣ領域の位置をピックアップ駆動回路５に出力し、光ピックアップ２をＴＯＣ領域に移動させ、現在再生中の楽曲の先頭位置をＴＯＣ領域から読みとり、前記移動位置信号１４をピックアップ駆動回路５に出力する。
該ピックアップ駆動回路５は、前記移動位置信号１４をピックアップ位置算出回路９から受け取ると、光ピックアップ２を現在再生中の楽曲の先頭位置に移動させる。
【００２６】
該光ピックアップ２は現在再生中の楽曲の先頭位置から順次、レーザー光の反射光を電気信号１７に変換し、該電気信号１７を復調回路３に出力する。再生回路４は、前記復調回路３で復調された復調信号１８を信号処理し、音楽データ１９を再生装置に出力する。
このようにして、光ピックアップ２は現在再生中の楽曲の先頭へ移動し、現在再生中の楽曲の先頭から再生が行われる。
【００２７】
次に、現在再生中の楽曲の１曲前の楽曲の先頭への移動指示が行われた場合の動作について説明する。
光ディスク再生装置の使用者が現在再生中の楽曲の１曲前の楽曲の先頭から再生を行いたい場合は、使用者は現在再生中の楽曲の１曲前の楽曲の先頭から再生するよう第１の移動指示回路７に指示する。該第１の移動指示回路７は、移動指示信号１２をピックアップ位置算出回路９に出力する。
【００２８】
該ピックアップ位置算出回路９は、第１の移動指示回路７から前記移動指示信号１２を受けとると、現在再生中の楽曲の先頭への移動指示が行われた場合と同様にして、現在再生中の楽曲の１曲前の楽曲の先頭位置を示す移動位置信号１４をピックアップ駆動回路５に出力する。
【００２９】
前記ピックアップ駆動回路５は、前記移動位置信号１４をピックアップ位置算出回路９から受け取ると、前記光ピックアップ２を現在再生中の楽曲の１曲前の楽曲の先頭位置に移動させ、以下、現在再生中の楽曲の先頭への移動指示が行われた場合と同様にして、音楽データ１９を再生装置に出力する。
このようにして、光ピックアップは現在再生中の楽曲の１曲前の楽曲の先頭へ移動し、現在再生中の楽曲の１曲前の楽曲の先頭から再生が行われる。
【００３０】
次に、現在再生中の楽曲の次の楽曲の先頭への移動指示が行われた場合の動作について説明する。
光ディスク再生装置の使用者が現在再生中の楽曲の次の楽曲の先頭から再生を行いたい場合は、使用者は現在再生中の楽曲の次の楽曲の先頭から再生するよう第２の移動指示回路８に指示する。該第２の移動指示回路８は、移動指示信号１３をピックアップ位置算出回路９に出力する。
【００３１】
該ピックアップ位置算出回路９は、該第２の移動指示回路８から移動指示信号１３を受けとると、前記第３の移動指示装置６の場合と同様にして、現在再生中の楽曲の次の楽曲の先頭位置を示す移動位置信号１４をピックアップ駆動回路５に出力する。
【００３２】
該ピックアップ駆動回路５は前記移動位置信号１４を前記ピックアップ位置算出回路９から受け取ると、光ピックアップ２を現在再生中の楽曲の次の楽曲の先頭位置に移動させ、以下、現在再生中の楽曲の先頭への移動指示が行われた場合と同様にして、音楽データ１９を再生装置に出力する。
このようにして、光ピックアップ２は現在再生中の楽曲の次の楽曲の先頭へ移動し、現在再生中の楽曲の次の楽曲の先頭から再生が行われる。
【００３３】
以上のように、本発明の実施の形態１による光ディスク再生装置によれば、光ピックアップを前曲の先頭位置へ移動するよう指示する第１の移動指示回路７を備えたので、従来のように２回操作することなく、１回で正確に失敗することなく、簡単な操作で現在再生中の楽曲の１曲前の楽曲の先頭から再生することができるという効果がある。
【００３４】
（実施の形態２）
図２は、本発明の実施の形態２による光ディスク再生装置の構成を示すブロック図である。なお、第１の移動指示回路２０１、動作選択指示回路２０２、及びピックアップ位置算出回路２０３以外に関する構成、及び動作は実施の形態１と同様であり、その説明を省略する。
【００３５】
第１の移動指示回路２０１は、現在再生中の楽曲の先頭から再生を開始する場合、もしくは現在再生中の楽曲の１曲前の楽曲の先頭から再生を開始する場合に光ピックアップ２の移動を指示する移動指示信号２２をピックアップ位置算出回路２０３に出力する。
【００３６】
動作選択指示回路２０２は、第１の移動指示回路２０１からピックアップ位置算出回路２０３に出力された移動指示信号２２に対して、現在再生中の楽曲の先頭から再生するよう選択し指示する動作選択指示信号２１をピックアップ位置算出回路２０３に出力する。
【００３７】
第２の移動指示回路８は、現在再生中の楽曲の次の楽曲の先頭から再生を開始する場合に光ピックアップ２の移動を指示する移動指示信号２３を出力する。
【００３８】
ピックアップ位置算出回路２０３は、第１の移動指示回路２０１、動作選択指示回路２０２、及び第２の移動指示回路８からそれぞれ動作選択指示信号２１、移動指示信号２２、及び移動指示信号２３を受け取り、移動位置信号２４をピックアップ駆動回路５に出力する。また、ピックアップ位置算出回路２０３は、復調回路３で復調された楽曲の物理的な開始位置や楽曲の演奏時間などの情報を使用して移動位置を算出する。
【００３９】
次に動作について説明する。
通常の再生時の動作は、実施の形態１と同様であり、その説明を省略する。
次に、楽曲の再生位置を変更する指示が行われた場合において、現在再生中の楽曲の先頭、現在再生中の楽曲の１曲前の楽曲の先頭、及び現在再生中の楽曲の次の楽曲の先頭への移動指示について説明する。なお、第１の移動指示回路２０１、動作選択指示回路２０２、及びピックアップ位置算出回路２０３以外に関する動作については、実施の形態１と同様であり、その説明を省略する。
【００４０】
まず、現在再生中の楽曲の先頭への移動指示が行われた場合の動作について説明する。
光ディスク再生装置の使用者が現在再生中の楽曲の先頭から再生を繰り返したい場合は、使用者は現在再生中の楽曲の先頭から再生するよう第１の移動指示回路２０１、及び動作選択指示回路２０２に指示する。
【００４１】
前記第１の移動指示回路２０１は、現在再生中の楽曲から前曲の方向の楽曲へ変更するよう光ピックアップ２の移動を指示する移動指示信号２２をピックアップ位置算出回路２０３に出力する。また、動作選択指示回路２０２は、現在再生中の楽曲の先頭から再生するよう選択し指示する動作選択指示信号２１をピックアップ位置算出回路２０３に出力する。
【００４２】
前記ピックアップ位置算出回路２０３は、前記動作選択指示信号２１により現在再生中の楽曲の先頭から再生を開始するように選択されると、実施の形態１と同様にして、現在の楽曲の先頭位置を示す移動位置信号２４をピックアップ駆動回路５に出力する。
【００４３】
該ピックアップ駆動回路５は前記ピックアップ位置算出回路２０３から前記移動位置信号２４を受け取ると、光ピックアップ２を現在再生中の楽曲の先頭に移動させ、以下、実施の形態１と同様にして音楽データ１９を再生装置に出力する。
このようにして、光ピックアップ２は現在再生中の楽曲の先頭へ移動し、現在再生中の楽曲の先頭から再生が行われる。
【００４４】
次に、現在再生中の楽曲の１曲前の楽曲の先頭への移動指示が行われた場合の動作について説明する。
光ディスク再生装置の使用者が現在再生中の楽曲の１曲前の楽曲の先頭から再生を行いたい場合は、使用者は現在再生中の楽曲の１曲前の楽曲の先頭から再生するよう第１の移動指示回路２０１に指示する。
前記第１の移動指示回路２０１は、現在再生中の楽曲から前曲の方向の楽曲へ変更するよう光ピックアップ２の移動を指示する移動指示信号２２をピックアップ位置算出回路２０３に出力する。
【００４５】
該ピックアップ位置算出回路２０３は、前記移動指示信号２２により現在再生中の楽曲の１曲前の楽曲の先頭から再生を開始するように選択されると、実施の形態１と同様にして、現在再生中の楽曲の１曲前の楽曲の先頭位置を示す移動位置信号２４をピックアップ駆動回路５に出力する。
【００４６】
該ピックアップ駆動回路５は前記移動位置信号２４を前記ピックアップ位置算出回路２０３から受け取ると、光ピックアップ２を現在再生中の楽曲の１曲前の楽曲の先頭へ移動させ、以下、実施の形態１と同様にして音楽データ１９を再生装置に出力する。
このようにして光ピックアップ２は現在再生中の楽曲の１曲前の楽曲の先頭へ移動し、現在再生中の楽曲の１曲前の楽曲の先頭から再生が行われる。
【００４７】
次に、現在再生中の楽曲の次の楽曲の先頭への移動指示が行われる場合の動作について説明する。
光ディスク再生装置の使用者が現在再生中の楽曲の次の楽曲の先頭から再生を行いたい場合は、使用者は現在再生中の楽曲の次の楽曲の先頭から再生するよう第２の移動指示回路８に指示する。該第２の移動指示回路８は、移動位置信号２３をピックアップ位置算出回路２０３に出力する。
【００４８】
該ピックアップ位置算出回路２０３は、第２の移動指示回路８から前記移動位置信号２３を受けとると、前記実施の形態１と同様にして、現在再生中の楽曲の次の楽曲の先頭位置を示す移動位置信号２４をピックアップ駆動回路５に出力する。
該ピックアップ駆動回路５は、前記移動位置信号２４をピックアップ位置算出回路３０３から受け取ると、光ピックアップ２を現在再生中の楽曲の次の楽曲の先頭へ移動させ、以下、実施の形態１と同様にして音楽データ１９を再生装置に出力する。
このようにして光ピックアップ２は現在再生中の楽曲の次の楽曲の先頭へ移動し、現在再生中の楽曲の次の楽曲の先頭から再生が行われる。
【００４９】
以上のように、本発明の実施の形態２による光ディスク再生装置によれば、前曲の方向への移動指示回路２０１、及び動作選択指示回路２０２を備えたので、現在再生中の楽曲の１曲前の先頭から再生するか、もしくは現在再生中の楽曲の先頭から再生するかを使用者が動作選択指示回路２０２に指示することで選択することができ、使用者の希望に従って再生することができるという効果がある。なお、本実施の形態２では、使用者が動作選択指示回路２０２に指示すると、現在再生中の楽曲の先頭から再生する例について説明したが、現在再生中の楽曲の１曲前の楽曲の先頭から再生するようにしてもよい。
【００５０】
（実施の形態３）
図３は、本発明の実施の形態３による光ディスク再生装置の構成を示すブロック図である。なお、前曲の方向へ第１の移動指示回路３０１、タイマー回路３０２、及びピックアップ位置算出回路３０３以外に関する構成、及び動作は実施の形態１と同様であり、その説明を省略する。
【００５１】
第１の移動指示回路３０１は、現在再生中の楽曲の先頭から再生を開始する場合、もしくは現在再生中の楽曲の１曲前の楽曲の先頭から再生を開始する場合に光ピックアップ２の移動を指示する移動指示信号３１を出力する。
【００５２】
タイマー回路３０２は、第１の移動指示回路３０１の操作時間を測定し、測定結果に基づき、現在再生中の楽曲の先頭から再生を開始するか、もしくは現在再生中の楽曲の１曲前の楽曲の先頭から再生を開始するかを判定するタイマー信号３３をピックアップ位置算出回路３０３に出力する。
【００５３】
第２の移動指示回路８は、現在再生中の楽曲の次の楽曲の先頭から再生を開始する場合に光ピックアップ２の移動を指示する移動指示信号３２を出力する。
【００５４】
ピックアップ位置算出回路３０３は、第１の移動指示回路３０１、第２の移動指示回路８、及びタイマー回路３０２からそれぞれ移動指示信号３１、移動指示信号３２、及びタイマー信号３３を受け取り、移動位置信号３４をピックアップ駆動回路５に出力する。また、ピックアップ位置算出回路３０３は、復調回路３で復調された楽曲の物理的な開始位置や楽曲の演奏時間などの情報を使用して移動位置を算出する。
【００５５】
次に動作について説明する。
通常の再生時の動作は、前記実施の形態１と同様であり、その説明を省略する。
次に、楽曲の再生位置を変更する指示が行われた場合において、現在再生中の楽曲の先頭、現在再生中の楽曲の１曲前の楽曲の先頭、及び現在再生中の楽曲の次の楽曲の先頭への移動指示について説明する。なお、第１の移動指示回路３０１、タイマー回路３０２、及びピックアップ位置算出回路３０３以外の構成に関する動作については、実施の形態１と同様であり、その説明を省略する。
【００５６】
まず、現在再生中の楽曲の先頭への移動指示が行われた場合の動作について説明する。
光ディスク再生装置の使用者が現在再生中の楽曲の先頭から再生を繰り返したい場合は、使用者は現在再生中の楽曲の先頭から再生するよう第１の移動指示回路３０１に指示する。該第１の移動指示回路３０１は、現在再生中の楽曲から前曲の方向の楽曲へ変更するよう光ピックアップ２の移動を指示する移動指示信号３１をピックアップ位置算出回路３０３に出力する。
【００５７】
現在再生中の楽曲の先頭から再生を開始するか、もしくは現在再生中の楽曲の１曲前の楽曲の先頭から再生を開始するかの判定は、前記第１の移動指示回路３０１の操作時間の長さによって行われる。該操作時間が一定のしきい値よりも長い場合は現在再生中の楽曲の１曲前の楽曲の先頭から再生を開始し、短い場合は現在再生中の楽曲の先頭から再生を開始する。
【００５８】
タイマー回路３０２は、前記第１の移動指示回路３０１の操作時間を測定し、該操作時間が一定のしきい値よりも長いか、もしくは短いかを判定して、その判定結果であるタイマー信号３３を前記ピックアップ位置算出回路３０３に出力する。
【００５９】
ここでは説明の都合上、現在再生中の楽曲の先頭から再生を開始する場合は、第１の移動指示回路３０１の操作時間は一定のしきい値より短かったものとし、前記タイマー回路３０２からピックアップ位置算出回路３０３に対して、現在再生中の楽曲の先頭から再生を開始するよう判定されたタイマー信号３３が出力されたとする。
【００６０】
ピックアップ位置算出回路３０３は、前記移動指示信号３１、及び前記タイマー信号３３により現在再生中の楽曲の先頭から再生を開始することが選択されると、実施の形態１と同様にして現在再生中の楽曲の先頭位置を示す移動位置信号３４をピックアップ駆動回路５に出力する。
【００６１】
該ピックアップ駆動回路５は前記移動位置信号３４を前記ピックアップ位置算出回路３０３から受け取ると、光ピックアップ２を現在再生中の楽曲の先頭へ移動させ、光ピックアップ２を現在再生中の楽曲の先頭へ移動させ、以下、実施の形態１と同様にして音楽データ１９を再生装置に出力する。
このようにして光ピックアップ２は現在再生中の楽曲の先頭へ移動し、現在再生中の楽曲の先頭から再生が行われる。
【００６２】
次に、現在再生中の楽曲の１曲前の楽曲の先頭への移動指示が行われた場合の動作について説明する。
光ディスク再生装置の使用者が、現在再生中の楽曲の１曲前の楽曲の先頭から再生を行いたい場合は、使用者は現在再生中の楽曲の１曲前の楽曲の先頭から再生を行うよう第１の移動指示回路３０１に指示する。該第１の移動指示回路３０１は、現在再生中の楽曲を前曲の方向の楽曲へ変更する移動指示信号３１をピックアップ位置算出回路３０３に出力する。以下の動作は、現在再生中の楽曲の先頭への移動指示が行われた場合と同様である。
【００６３】
ここでは説明の都合上、現在再生中の楽曲の１曲前の楽曲の先頭から再生を開始する場合、前記第１の移動指示回路３０１の操作時間は一定のしきい値より長かったものとし、前記タイマー回路３０２から前記ピックアップ位置算出回路３０３に対して、現在再生中の楽曲の１曲前の楽曲の先頭から再生を開始するよう判定されたタイマー信号３３が出力されたとする。
【００６４】
前記ピックアップ位置算出回路３０３は、前記移動指示信号３１、及び前記タイマー信号３３により現在再生中の楽曲の１曲前の楽曲の先頭から再生を開始することが選択されると、実施の形態１と同様にして現在再生中の楽曲の１曲前の楽曲の先頭位置を示す移動位置信号３４をピックアップ駆動回路５に出力する。
【００６５】
該ピックアップ駆動回路５は、前記移動位置信号３４を前記ピックアップ位置算出回路３０３から受け取ると、光ピックアップ２を現在再生中の楽曲の１曲前の楽曲の先頭へ移動させ、以下、実施の形態１と同様にして音楽データ１９を再生装置に出力する。
このようにして光ピックアップ２は現在再生中の楽曲の１曲前の楽曲の先頭へ移動し、現在再生中の楽曲の１曲前の楽曲の先頭から再生が行われる。
【００６６】
次に、現在再生中の楽曲の次の楽曲の先頭への移動指示が行われた場合の動作について説明する。
光ディスク再生装置の使用者が現在再生中の楽曲の次の楽曲の先頭から再生を行いたい場合は、使用者は現在再生中の楽曲の次の楽曲の先頭から再生するよう第２の移動指示回路８に指示する。該第２の移動指示回路８は、移動指示信号３２をピックアップ位置算出回路３０３に出力する。
【００６７】
該ピックアップ位置算出回路３０３は、第２の移動指示回路８からの移動指示信号３２を受けとると、実施の形態１と同様にして現在再生中の楽曲の次の楽曲の先頭位置を示す移動位置信号３４をピックアップ駆動回路５に出力する。
該ピックアップ駆動回路５は前記移動位置信号３４を前記ピックアップ位置算出回路３０３から受け取ると、光ピックアップ２を現在再生中の楽曲の次の楽曲の先頭へ移動させ、以下、実施の形態１と同様にして音楽データ１９を再生装置に出力する。
このようにして光ピックアップ２は現在再生中の楽曲の次の楽曲の先頭へ移動し、現在再生中の楽曲の次の楽曲の先頭から再生が行われる。
【００６８】
以上のように、本発明の実施の形態３による光ディスク再生装置によれば、第１の移動指示回路３０１、及びタイマー回路３０２を備えたので、現在再生中の楽曲の１曲前の先頭から再生するか、もしくは現在再生中の楽曲の先頭から再生するかを第１の移動指示回路３０１の操作時間により容易に決定し指示することができるという効果がある。
【００６９】
なお、本実施の形態３の説明では、第１の移動指示回路３０１の操作時間が一定のしきい値より長い場合に、現在再生中の楽曲の１曲前の先頭から再生するようにタイマー回路３０２が判定する場合を説明したが、第１の移動指示回路３０１の操作時間が一定のしきい値より短い場合に現在再生中の楽曲の１曲前の楽曲の先頭から再生するようにタイマー回路３０２が判定するようにしてもよい。
【００７０】
（実施の形態４）
図４は、本発明の実施の形態４による光ディスク再生装置の構成を示すブロック図である。なお、第１の移動指示装置４０１、再生時間判定回路４０２、及びピックアップ位置算出回路４０３以外に関する構成、及び動作は実施の形態１と同様であり、その説明を省略する。
【００７１】
第１の移動指示回路４０１は、現在再生中の楽曲の先頭から再生を開始する場合、もしくは現在再生中の楽曲の１曲前の楽曲の先頭から再生を開始する場合に光ピックアップ２の移動を指示する移動指示信号４２を出力する。
第２の移動指示回路８は、現在再生中の楽曲の次の楽曲の先頭から再生を開始する場合に光ピックアップ２の移動を指示する移動指示信号４１を出力する。
【００７２】
再生時間判定回路４０２は、第１の移動指示回路４０１が操作された場合、復調回路３から出力される楽曲の演奏時間に基づき、現在再生中の楽曲の先頭から再生を開始するか、もしくは現在再生中の楽曲の１曲前の楽曲の先頭から再生を開始するかを判定し、再生時間判定信号４３をピックアップ位置算出回路４０３に出力する。
【００７３】
該ピックアップ位置算出回路４０３は、第１の移動指示回路４０１、第２の移動指示回路８、及び再生時間判定回路４０２からそれぞれ移動指示信号４１、移動指示信号４２、及び再生時間判定信号４３を受け取り、移動位置信号４４をピックアップ駆動回路５に出力する。また、ピックアップ位置算出回路４０３は、復調回路３で復調された楽曲の物理的な開始位置や楽曲の演奏時間などの情報を使用して移動位置を算出する。
【００７４】
次に動作について説明する。
通常の再生時の動作は、実施の形態１と同様であり、その説明を省略する。
次に、楽曲の再生位置を変更する指示が行われた場合において、現在再生中の楽曲の先頭、現在再生中の楽曲の１曲前の楽曲の先頭、及び現在再生中の楽曲の次の楽曲の先頭への移動指示について説明する。なお、第１の移動指示回路４０１、再生時間判定回路４０２、及びピックアップ位置算出回路４０３以外に関する動作については、実施の形態１と同様であり、その説明を省略する。
【００７５】
まず、現在再生中の楽曲の先頭への移動の場合の動作について説明する。
光ディスク再生装置の使用者が現在再生中の楽曲の先頭から再生を繰り返したい場合は、使用者は現在再生中の楽曲の先頭から再生するよう第１の移動指示回路４０１に指示する。該第１の移動指示回路４０１は、現在再生中の楽曲から前曲の方向の楽曲へ変更するよう光ピックアップ２の移動を指示する移動指示信号４２をピックアップ位置算出回路４０３に出力する。
【００７６】
現在再生中の楽曲の先頭から再生を開始するか、もしくは現在再生中の楽曲の１曲前の楽曲の先頭から再生を開始するかの判定は、第１の移動指示回路４０１が操作されたときまでの現在再生中の楽曲の再生時間により行われる。該再生時間が一定のしきい値よりも短い場合は現在再生中の楽曲の１曲前の楽曲の先頭から再生を開始し、長い場合は現在再生中の楽曲の先頭から再生を開始する。
【００７７】
再生時間判定回路４０２は、第１の移動指示回路４０１が操作されたときに復調回路３から出力されている現在再生中の楽曲の再生時間を読みとり、該現在再生中の楽曲の再生時間を取得する。そして、前記再生時間判定回路４０２は該現在再生中の楽曲の再生時間が一定のしきい値よりも長いか、もしくは短いかを判定して、再生時間判定信号４３をピックアップ位置算出回路４０３に出力する。
【００７８】
ここでは説明の都合上、現在再生中の楽曲の先頭から再生を開始する場合は、第１の移動指示回路４０１が操作されたときの、現在再生中の楽曲の再生時間が一定のしきい値より長かったものとし、再生時間判定回路４０２からピックアップ位置算出回路４０３に対して、現在再生中の楽曲の先頭から再生を開始するよう判定した再生時間判定信号４３が出力されたとする。
【００７９】
前記ピックアップ位置算出回路４０３は、前記移動位置信号４２、及び前記再生時間判定信号４３により、現在再生中の楽曲の先頭から再生を開始するよう選択されたことを知ると、以下実施の形態１と同様にして現在の楽曲の先頭位置を示す移動位置信号４４をピックアップ駆動回路５に出力する。
【００８０】
該ピックアップ駆動回路５は、前記移動位置信号４４を前記ピックアップ位置算出回路４０３から受け取ると、光ピックアップ２を現在再生中の楽曲の先頭位置に移動し、以下、実施の形態１と同様にして音楽データ１９を再生装置に出力する。
このようにして光ピックアップ２は現在再生中の楽曲の先頭へ移動し、現在再生中の楽曲の先頭から再生が行われる。
【００８１】
次に、現在再生中の楽曲の１曲前の楽曲の先頭への移動指示が行われた場合の動作について説明する。
光ディスク再生装置の使用者が現在再生中の楽曲の１曲前の楽曲の先頭から再生を行いたい場合は、使用者は現在再生中の楽曲の１曲前の楽曲の先頭から再生するよう第１の移動指示回路４０１に指示する。以下の操作は、現在再生中の楽曲の先頭への移動指示が行われた場合と同様である。
【００８２】
ここでは説明の都合上、現在再生中の楽曲の１曲前の楽曲の先頭から再生を開始する場合、第１の移動指示回路４０１が操作されたときの、現在再生中の楽曲の再生時間が一定のしきい値より短かったとし、再生時間判定回路４０２からピックアップ位置算出回路４０３に対して、現在再生中の楽曲の１曲前の楽曲の先頭から再生を開始するよう判定された再生時間判定信号４３が出力されたとする。
【００８３】
前記ピックアップ位置算出回路４０３は、前記移動指示信号４２、及び再生時間判定信号４３により、現在再生中の楽曲の１曲前の楽曲の先頭から再生を開始することが選択されたことを知ると、以下実施の形態１と同様にして現在再生中の楽曲の１曲前の楽曲の先頭位置を示す移動位置信号４４をピックアップ駆動回路５に出力する。
【００８４】
該ピックアップ駆動回路５は、前記移動位置信号４４を前記ピックアップ位置算出回路４０３から受け取ると、光ピックアップ２を現在再生中の楽曲の１曲前の楽曲の先頭位置に移動し、以下、実施の形態１と同様にして音楽データ１９を再生装置に出力する。
このようにして光ピックアップ２は現在再生中の楽曲の１曲前の楽曲の先頭へ移動し、現在再生中の楽曲の１曲前の楽曲の先頭から再生が行われる。
【００８５】
次に、現在再生中の楽曲の次の楽曲の先頭への移動指示が行われた場合の動作について説明する。
光ディスク再生装置の使用者が現在再生中の楽曲の次の楽曲の先頭から再生を行いたい場合は、使用者は現在再生中の楽曲の次の楽曲の先頭から再生するよう第２の移動指示回路８に指示する。該第２の移動指示回路８は、移動指示信号４１をピックアップ位置算出回路４０３に出力する。
【００８６】
ピックアップ位置算出回路４０３は、第２の移動指示回路８から前記移動位置信号４１を受けとると、以下実施の形態１と同様にして現在再生中の楽曲の次の楽曲の先頭位置を示す移動位置信号４４をピックアップ駆動回路５に出力する。該ピックアップ駆動回路５は、前記移動位置信号４４をピックアップ位置算出回路４０３から受け取ると、光ピックアップ２を現在再生中の楽曲の次の楽曲の先頭位置に移動し、以下、実施の形態１と同様にして音楽データ１９を再生装置に出力する。
このようにして、光ピックアップ２は現在再生中の楽曲の次の楽曲の先頭へ移動し、現在再生中の楽曲の次の楽曲の先頭から再生が行われる。
【００８７】
以上のように、本発明の実施の形態４による光ディスク再生装置によれば、第１の移動指示回路４０１、及び再生時間判定回路４０２を備えたので、現在再生中の楽曲の１曲前の先頭から再生するか、もしくは現在再生中の楽曲の先頭から再生するかを現在再生中の楽曲の再生時間によって切り替えることができるという効果がある。
【００８８】
なお、本実施の形態４の説明では、第１の移動指示回路４０１が指示されたときの現在再生中の楽曲の再生時間が一定のしきい値よりも短い場合に現在再生中の楽曲の１曲前の先頭から再生するように再生時間判定回路４０２が判定する場合について説明したが、第１の移動指示回路４０１が指示されたときの現在再生中の楽曲の再生時間が一定のしきい値より長い場合に、現在再生中の楽曲の１曲前の先頭から再生するように再生時間判定回路４０２が判定するようにしてもよい。
【００８９】
（実施の形態５）
図５は、本発明の実施の形態５による光ディスク再生装置の構成を示すブロック図である。なお、第１の移動指示回路５０１、再生時間比判定回路５０２、及びピックアップ位置算出回路５０３以外の構成、及び動作は実施の形態１と同様であり、その説明を省略する。
【００９０】
第１の移動指示回路５０１は、現在再生中の楽曲の先頭から再生を開始する場合、もしくは現在再生中の楽曲の１曲前の楽曲の先頭から再生を開始する場合に光ピックアップ２の移動を指示する移動指示信号５１を出力する。
第２の移動指示回路８は、現在再生中の楽曲の次の楽曲の先頭から再生を開始する場合に光ピックアップ２の移動を指示する移動指示信号５２を出力する。
【００９１】
再生時間比判定回路５０２は、前記第１の移動指示回路５０１が操作された場合、復調回路３から出力される楽曲の演奏時間に基づき、現在再生中の楽曲の先頭から再生を開始するか、もしくは現在再生中の楽曲の１曲前の楽曲の先頭から再生を開始するかを判定する再生時間比判定信号５３をピックアップ位置算出回路５０３に出力する。
【００９２】
ピックアップ位置算出回路５０３は、第１の移動指示回路５０１、第２の移動指示回路８、及び再生時間比判定回路５０２からそれぞれ移動指示信号５１、移動指示信号５２、及び再生時間比判定信号５３を受け取り、移動位置信号５４をピックアップ駆動回路５に出力する。また、ピックアップ位置算出回路５０３は、復調回路３で復調された楽曲の物理的な開始位置や楽曲の演奏時間などの情報を使用して移動位置を算出する。
【００９３】
次に動作について説明する。
通常の再生時の動作は、実施の形態１と同様であり、その説明を省略する。
次に、楽曲の再生位置を変更する指示が行われた場合において、現在再生中の楽曲の先頭、現在再生中の楽曲の１曲前の楽曲の先頭、及び現在再生中の楽曲の次の楽曲の先頭への移動指示について説明する。なお、第１の移動指示回路５０１、再生時間比判定回路５０２、及びピックアップ位置算出回路５０３以外に関する動作については、前記実施の形態１と同様であり、その説明を省略する。
【００９４】
まず、現在再生中の楽曲の先頭への移動指示が行われた場合の動作について説明する。
光ディスク再生装置の使用者が現在再生中の楽曲の先頭から再生を繰り返したい場合は、使用者は現在再生中の楽曲の先頭から再生するよう第１の移動指示回路５０１に指示する。該第１の移動指示回路５０１は、現在再生中の楽曲から前曲の方向の楽曲へ変更する移動指示信号５１をピックアップ位置算出回路５０３に出力する。
【００９５】
また、現在再生中の楽曲の先頭から再生を開始するか、もしくは現在再生中の楽曲の１曲前の楽曲の先頭から再生を開始するかの判定は、第１の移動指示回路５０１に指示されたときまでの、現在再生中の楽曲の再生時間により行われる。前記再生時間と楽曲の総演奏時間との比が一定のしきい値よりも小さい場合は現在再生中の楽曲の１曲前の楽曲の先頭から再生を開始し、大きい場合は現在再生中の楽曲の先頭から再生を開始する。
【００９６】
再生時間比判定回路５０２は、第１の移動指示回路５０１が操作されたときに復調回路３から出力されている現在再生中の楽曲の再生時間と総演奏時間を読みとり、現在再生中の楽曲の再生時間と総演奏時間を取得する。そして、現在再生中の楽曲の再生時間と総演奏時間の比が一定のしきい値よりも大きいか、もしくは小さいかを判定して再生時間比判定信号５３をピックアップ位置算出回路５０３に出力する。
【００９７】
ここでは説明の都合上、現在再生中の楽曲の先頭から再生を開始する場合、第１の移動指示回路５０１が操作されたときの、現在再生中の楽曲の再生時間と総演奏時間の比が一定のしきい値より大きかったものとし、再生時間比判定回路５０２からピックアップ位置算出回路５０３に対して、現在再生中の楽曲の先頭から再生を開始するよう判定された再生時間比判定信号５３が出力されたとする。
【００９８】
ピックアップ位置算出回路５０３は、前記移動指示信号５１、及び前記再生時間比判定信号５３により現在再生中の楽曲の先頭から再生を開始するように選択されたことを知ると、以下実施の形態１と同様にして現在の楽曲の先頭位置を示す移動位置信号５４をピックアップ駆動回路５に出力する。
【００９９】
ピックアップ駆動回路５は前記移動位置信号５４を前記ピックアップ位置算出回路５０３から受け取ると、光ピックアップ２を現在再生中の楽曲の先頭位置に移動させ、以下、実施の形態１と同様にして音楽データ１９を再生装置に出力する。
このようにして光ピックアップ２は現在再生中の楽曲の先頭へ移動し、現在再生中の楽曲の先頭から再生が行われる。
【０１００】
次に、現在再生中の楽曲の１曲前の楽曲の先頭への移動指示が行われた場合の動作について説明する。
光ディスク再生装置の使用者が現在再生中の楽曲の１曲前の楽曲の先頭から再生を繰り返したい場合は、使用者は現在再生中の楽曲の１曲前の楽曲の先頭から再生するよう第１の移動指示回路５０１に指示する。以下の操作は、現在再生中の楽曲の先頭への移動指示が行われた場合と同様である。
【０１０１】
ここでは説明の都合上、現在再生中の楽曲の１曲前の楽曲の先頭から再生を開始する場合、第１の移動指示回路５０１が操作されたときの、現在再生中の楽曲の再生時間と総演奏時間の比が一定のしきい値より小さかったものとし、再生時間比判定回路５０２からピックアップ位置算出回路５０３に対して、現在再生中の楽曲の１曲前の楽曲の先頭から再生を開始するよう判定された再生時間比判定信号５３が出力されたとする。
【０１０２】
ピックアップ位置算出回路５０３は、前記移動指示信号５１、及び再生時間比判定信号５３により現在再生中の楽曲の１曲前の楽曲の先頭から再生を開始するように選択されたことを知ると、以下実施の形態１と同様にして現在再生中の楽曲の１曲前の楽曲の先頭位置を示す移動位置信号５４をピックアップ駆動回路５に出力する。
【０１０３】
該ピックアップ駆動回路５は前記移動位置信号５４をピックアップ位置算出回路５０３から受け取ると、光ピックアップ２を現在再生中の楽曲の１曲前の楽曲の先頭位置に移動させ、以下、実施の形態１と同様にして音楽データ１９を再生装置に出力する。
このようにして光ピックアップ２は現在再生中の楽曲の１曲前の楽曲の先頭へ移動し、現在再生中の楽曲の１曲前の楽曲の先頭から再生が行われる。
【０１０４】
次に、現在再生中の楽曲の次の楽曲の先頭への移動指示が行われた場合の動作について説明する。
光ディスク再生装置の使用者が現在再生中の楽曲の次の楽曲の先頭から再生を行いたい場合は、使用者は現在再生中の楽曲の次の楽曲の先頭から再生するよう第２の移動指示装置８に指示する。該第２の移動指示装置８は、移動指示信号５２をピックアップ位置算出回路５０３に出力する。
【０１０５】
該ピックアップ位置算出回路５０３は、第２の移動指示装置８から移動指示信号５２を受けとると、以下実施の形態１と同様にして現在再生中の楽曲の次の楽曲の先頭位置を示す移動位置信号５４をピックアップ駆動回路５に出力する。
【０１０６】
該ピックアップ駆動回路５は前記移動位置信号５４を前記ピックアップ位置算出回路５０３から受け取ると、光ピックアップ２を現在再生中の楽曲の次の楽曲の先頭位置に移動させ、以下、実施の形態１と同様にして音楽データ１９を再生装置に出力する。
【０１０７】
このようにして光ピックアップ２は現在再生中の楽曲の次の楽曲の先頭へ移動し、現在再生中の楽曲の次の楽曲の先頭から再生が行われる。
【０１０８】
以上のように、本発明の実施の形態５による光ディスク再生装置によれば、第１の移動指示回路５０１、及び再生時間比判定回路５０２を備えたので、現在再生中の楽曲の１曲前の先頭から再生するか、もしくは現在再生中の楽曲の先頭から再生するかを現在再生中の楽曲の再生時間と現在再生中の楽曲の総演奏時間との比の大きさによって容易に切り替えることができるという効果がある。
【０１０９】
なお、本実施の形態５では、第１の移動指示装置５０１が操作されたときの現在再生中の楽曲の再生時間と総演奏時間との比が一定のしきい値よりも小さい場合に、現在再生中の楽曲の１曲前の先頭から再生するように再生時間比判定回路５０２が判定する場合を説明したが、第１の移動指示回路５０１が操作されたときの現在再生中の楽曲の再生時間と総演奏時間との比が一定のしきい値より大きい場合に、現在再生中の楽曲の１曲前の先頭から再生するよう再生時間比判定回路５０２が判定するようにしてもよい。
【０１１０】
【発明の効果】
以上のように本発明の請求項１による光ディスク再生装置によれば、複数の楽曲が記録された光ディスクにレーザー光を当て、反射光の強弱を電気信号に変換する光ピックアップと、前記光ピックアップで変換された前記電気信号を復調した復調信号、または楽曲の開始位置に関する楽曲情報信号を出力する復調手段と、前記復調信号を音楽データに再生する再生手段と、現在再生中の楽曲の１曲前の楽曲を再生するよう使用者が指示する移動指示信号を出力する移動指示手段と、前記移動指示信号を受け取り、現在再生中の楽曲の１曲前の楽曲の先頭位置を前記光ディスクから読み取り、前記光ピックアップを現在再生中の楽曲の１曲前の楽曲の先頭位置に移動させる移動位置信号を出力するピックアップ位置算出手段と、前記移動位置信号に基づいて、前記光ピックアップを現在再生中の楽曲の１曲前の楽曲の先頭位置に移動させるピックアップ駆動手段とを備えるようにしたので、従来のように２回操作することなく１回で容易に、かつ確実に現在再生中の楽曲の１曲前の楽曲の先頭から再生することができるという効果がある。
【０１１１】
本発明の請求項２による光ディスク再生装置によれば、請求項１記載の光ディスク再生装置において、現在再生中の楽曲を再生するよう選択し指示する動作選択指示信号を出力する動作選択指示手段を備え、前記ピックアップ位置算出手段は、前記移動指示手段から前記移動指示信号を受け取った場合は、現在再生中の楽曲の１曲前の楽曲の先頭位置を前記光ディスクから読み取り、前記光ピックアップを現在再生中の楽曲の１曲前の楽曲の先頭位置に移動させる移動位置信号を出力し、前記移動指示手段から前記移動指示信号、及び前記動作選択手段から前記動作選択指示信号を受け取った場合は、現在再生中の楽曲の先頭位置を前記光ディスクから読み取り、前記光ピックアップを現在再生中の楽曲の先頭位置に移動させる移動位置信号を出力するようにしたので、簡単な操作で容易に現在再生中の楽曲の１曲前の楽曲、もしくは現在再生中の楽曲の先頭から再生することができるという効果がある。
【０１１２】
本発明の請求項３による光ディスク再生装置によれば、請求項１記載の光ディスク再生装置において、前記移動指示信号を受け取り、前記移動指示手段の操作時間が一定のしきい値より大きいか、もしくは小さいかにより異なるタイマー信号を出力するタイマー手段を備え、前記ピックアップ位置算出手段は、前記移動指示信号、及び前記タイマー信号を受け取り、前記移動指示手段の操作時間が前記一定のしきい値より大きいときに出力されるタイマー信号を受け取った場合は、現在再生中の楽曲の１曲前の楽曲の先頭位置を前記光ディスクから読み取り、前記光ピックアップを現在再生中の楽曲の１曲前の楽曲の先頭位置に移動させる移動位置信号を出力し、前記移動指示手段の操作時間が前記一定のしきい値より小さいときに出力されるタイマー信号を受け取った場合は、現在再生中の楽曲の先頭位置を前記光ディスクから読み取り、前記光ピックアップを現在再生中の楽曲の先頭位置に移動させる移動位置信号を出力するようにしたので、一定のしきい値を設定することにより、タイマー手段で得られた移動指示手段の操作時間を用いて簡単な操作で容易に現在再生中の楽曲の１曲前の楽曲、もしくは現在再生中の楽曲の先頭から再生することができるという効果がある。
【０１１３】
本発明の請求項４による光ディスク再生装置によれば、請求項１記載の光ディスク再生装置において、前記移動指示信号に基づいて、現在までの再生時間を前記光ディスクから読み取り、前記再生時間が一定のしきい値より大きいか、もしくは小さいかにより異なる再生時間判定信号を出力する再生時間判定手段を備え、前記ピックアップ位置算出手段は、前記移動指示信号、及び前記再生時間判定信号を受け取り、前記移動指示信号に基づいて、現在までの再生時間を前記光ディスクから読み取り、前記再生時間が一定のしきい値より小さい場合は、現在再生中の楽曲の１曲前の楽曲の先頭位置を前記光ディスクから読み取り、前記光ピックアップを現在再生中の楽曲の１曲前の楽曲の先頭位置に移動させる移動位置信号を出力し、前記現在までの再生時間が前記一定のしきい値より大きい場合は、現在再生中の楽曲の先頭位置を前記光ディスクから読み取り、前記光ピックアップを現在再生中の楽曲の先頭位置に移動させる移動位置信号を出力するようにしたので、一定のしきい値を設定することにより、再生時間判定手段で得られた現在までの再生時間を用いて、簡単な操作で現在再生中の楽曲の１曲前の楽曲、もしくは現在再生中の楽曲の先頭から再生することができるという効果がある。
【０１１４】
本発明の請求項５による光ディスク再生装置によれば、請求項１記載の光ディスク再生装置において、前記復調手段は、前記光ピックアップで変換された前記電気信号を復調した復調信号、または楽曲の開始位置、及び演奏時間に関する楽曲情報信号を出力し、前記移動指示信号に基づいて、現在再生中の楽曲全体の演奏時間と現在までの再生時間を前記光ディスクから読み取り、前記再生時間と前記演奏時間の比が一定のしきい値より大きいか、もしくは小さいかにより異なる再生時間比判定信号を出力する再生時間比判定手段を備え、前記ピックアップ位置算出手段は、前記移動指示信号、及び前記再生時間比判定信号を受け取り、前記移動指示信号に基づいて、現在再生中の楽曲全体の演奏時間と現在までの再生時間を前記光ディスクから読み取り、前記再生時間と前記演奏時間の比が一定のしきい値より小さい場合は、現在再生中の楽曲の１曲前の楽曲の先頭位置を前記光ディスクから読み取り、前記光ピックアップを現在再生中の楽曲の１曲前の楽曲の先頭位置に移動させる移動位置信号を出力し、前記再生時間と前記演奏時間の比が一定のしきい値より大きい場合は、現在再生中の楽曲の先頭位置を前記光ディスクから読み取り、前記光ピックアップを現在再生中の楽曲の先頭位置に移動させる移動位置信号を出力するようにしたので、一定のしきい値を設定することにより、再生時間比判定手段で得られた現在再生中の楽曲全体の演奏時間と現在までの再生時間の比を用いて簡単な操作で容易に現在再生中の楽曲の１曲前の楽曲、もしくは現在再生中の楽曲の先頭から再生することができるという効果がある。
【図面の簡単な説明】
【図１】本発明の実施の形態１による光ディスク再生装置の構成を示すブロック図である。
【図２】本発明の実施の形態２による光ディスク再生装置の構成を示すブロック図である。
【図３】本発明の実施の形態３による光ディスク再生装置の構成を示すブロック図である。
【図４】本発明の実施の形態４による光ディスク再生装置の構成を示すブロック図である。
【図５】本発明の実施の形態５による光ディスク再生装置の構成を示すブロック図である。
【符号の説明】
１　光ディスク
２　光ピックアップ
３　復調回路
４　再生回路
５　ピックアップ駆動回路
６　第３の移動指示回路
７、２０１、３０１、４０１、５０１　第１の移動指示回路
８　第２の移動指示回路
９、２０３、３０３、４０３、５０３　ピックアップ位置算出回路
１１、１２、１３、２２、２３、３１、３２、４１、４２、５１、５２　移動指示信号
１４、２４、３４、４４、５４　移動位置信号
１５　楽曲情報信号
１６　ピックアップ駆動信号
１７　電気信号
１８　復調信号
１９　音楽データ
２１　動作選択指示信号
３３　タイマー信号
４３　再生時間判定信号
５３　再生時間比判定信号
２０２　動作選択指示回路
３０２　タイマー回路
４０２　再生時間判定回路
５０２　再生時間比判定回路
【図１】
2004022102.tif 000003
【図２】
2004022102.tif 000004
【図３】
2004022102.tif 000005
【図４】
2004022102.tif 000006
【図５】
2004022102.tif 000007